(57)【特許請求の範囲】
【請求項１】
乗客コンベアの欄干の直線部に設けられ、下方向に光を照射する第１下方照射用光源を底面に有する直線部筐体と、
前記欄干の直線部において前記欄干の曲線部に連続する位置に設けられ、前記欄干の曲線部の方向に光を照射する側方照射用光源を底面ではなく側面に有する曲線部筐体と、
を備えた乗客コンベアの照明装置。
【請求項２】
乗客コンベアの欄干の曲線部の一側に連続する直線部と前記欄干の曲線部の他側に連続する直線部とにそれぞれ設けられ、下方向に光を照射する第１下方照射用光源を底面に有する複数の直線部筐体と、
前記欄干の曲線部の一側に連続する直線部と前記欄干の曲線部の他側に連続する直線部とのそれぞれにおいて前記欄干の曲線部に連続する位置に設けられ、前記欄干の曲線部の方向に光を照射する側方照射用光源を底面ではなくそれぞれの側面に有する一対の曲線部筐体と、
を備えた乗客コンベアの照明装置。
【請求項３】
乗客コンベアの欄干の直線部に設けられ、下方向に光を照射する第１下方照射用光源を底面に有する直線部筐体と、
前記欄干の直線部において前記欄干の曲線部に連続する位置に設けられ、前記欄干の曲線部の方向に光を照射する側方照射用光源を側面に有する曲線部筐体と、
を備え、
前記曲線部筐体は、前記欄干の直線部に対して下方向に光を照射する第２下方照射用光源を底面に有し、
前記側方照射用光源は、前記第２下方照射用光源の輝度より高い輝度で光を照射する乗客コンベアの照明装置。
【請求項４】
乗客コンベアの欄干の直線部に設けられ、下方向に光を照射する第１下方照射用光源を底面に有する直線部筐体と、
前記欄干の直線部において前記欄干の曲線部に連続する位置に設けられ、前記欄干の曲線部の方向に光を照射する側方照射用光源を側面に有する曲線部筐体と、
を備え、
前記曲線部筐体に設けられ、前記側方照射用光源から照射される光を拡散する拡散レンズ、
を備えた乗客コンベアの照明装置。
【請求項５】
前記曲線部筐体に設けられ、前記側方照射用光源を覆い、前記曲線部筐体の他の部分に比べて光を透過しやすい透過部、
を備えた請求項１から請求項４のいずれか一項に記載の乗客コンベアの照明装置。
【請求項６】
前記欄干の曲線部に設けられ、前記側方照射用光源から照射される光を反射する反射部、
を備えた請求項１から請求項５のいずれか一項に記載の乗客コンベアの照明装置。
【請求項７】
前記欄干の曲線部に設けられ、前記側方照射用光源から照射される光を吸収し、発光する蓄光部、
を備えた請求項１から請求項６のいずれか一項に記載の乗客コンベアの照明装置。
【発明の詳細な説明】
【技術分野】
【０００１】
この発明は、乗客コンベアの照明装置に関する。
【背景技術】
【０００２】
特許文献１は、乗客コンベアの照明装置を開示する。当該照明装置においては、複数の光源は、一定の間隔で乗客コンベアの欄干に配置される。このため、乗客コンベアの欄干を均等に照明することができる。
【先行技術文献】
【特許文献】
【０００３】
【特許文献１】日本特開２０１１−１８４１１１号公報
【発明の概要】
【発明が解決しようとする課題】
【０００４】
しかしながら、特許文献１に記載の乗客コンベアの照明装置においては、多数の光源を一定間隔で配置する必要がある。このため、点光源を多く設置する必要がある。その結果、照明装置の設置コストが増える。【０００５】
この発明は、上述の課題を解決するためになされた。この発明の目的は、多数の光源を用いることなく乗客コンベアの欄干を均等に照明することができる乗客コンベアの照明装置を提供することである。
【課題を解決するための手段】
【０００６】
この発明に係る乗客コンベアの照明装置は、乗客コンベアの欄干の直線部に設けられ、下方向に光を照射する第１下方照射用光源を底面に有する直線部筐体と、前記欄干の直線部において前記欄干の曲線部に連続する位置に設けられ、前記欄干の曲線部の方向に光を照射する側方照射用光源を底面ではなく側面に有する曲線部筐体と、を備えた。
【０００７】
この発明に係る乗客コンベアの照明装置は、乗客コンベアの欄干の曲線部の一側に連続する直線部と前記欄干の曲線部の他側に連続する直線部とにそれぞれ設けられ、下方向に光を照射する第１下方照射用光源を底面に有する複数の直線部筐体と、前記欄干の曲線部の一側に連続する直線部と前記欄干の曲線部の他側に連続する直線部とのそれぞれにおいて前記欄干の曲線部に連続する位置に設けられ、前記欄干の曲線部の方向に光を照射する側方照射用光源を底面ではなくそれぞれの側面に有する一対の曲線部筐体と、を備えた。
この発明に係る乗客コンベアの照明装置は、乗客コンベアの欄干の直線部に設けられ、下方向に光を照射する第１下方照射用光源を底面に有する直線部筐体と、前記欄干の直線部において前記欄干の曲線部に連続する位置に設けられ、前記欄干の曲線部の方向に光を照射する側方照射用光源を側面に有する曲線部筐体と、を備え、前記曲線部筐体は、前記欄干の直線部に対して下方向に光を照射する第２下方照射用光源を底面に有し、前記側方照射用光源は、前記第２下方照射用光源の輝度より高い輝度で光を照射する。
この発明に係る乗客コンベアの照明装置は、乗客コンベアの欄干の直線部に設けられ、下方向に光を照射する第１下方照射用光源を底面に有する直線部筐体と、前記欄干の直線部において前記欄干の曲線部に連続する位置に設けられ、前記欄干の曲線部の方向に光を照射する側方照射用光源を側面に有する曲線部筐体と、を備え、前記曲線部筐体に設けられ、前記側方照射用光源から照射される光を拡散する拡散レンズ、を備えた。
【発明の効果】
【０００８】
これらの発明によれば、曲線部筐体は、欄干の曲線部の方向に光を照射する。このため、多数の光源を用いることなく乗客コンベアの欄干を均等に照明することができる。
【図面の簡単な説明】
【０００９】
【図１】実施の形態１における乗客コンベアの照明装置が適用される乗客コンベアの概略図である。
【図２】実施の形態１における乗客コンベアの照明装置が備える第１直線部筐体の詳細図である。
【図３】実施の形態１における乗客コンベアの照明装置が備える第１曲線部筐体の詳細図である。
【図４】実施の形態１における乗客コンベアの照明装置が備える第２曲線部筐体の詳細図である。
【図５】実施の形態２における乗客コンベアの照明装置が備える第１曲線部筐体の詳細図である。
【図６】実施の形態３における乗客コンベアの照明装置が備える第１曲線部筐体の詳細図である。
【図７】実施の形態４における乗客コンベアの照明装置が適用される乗客コンベアの概略図である。
【図８】図７のＡ−Ａ線における断面図である。
【図９】図７のＢ−Ｂ線における断面図である。
【図１０】実施の形態５における乗客コンベア照明装置が適用される乗客コンベアの詳細図である。
【図１１】図１０のＣ−Ｃ線における断面図である。
【発明を実施するための形態】
【００１０】
この発明を実施するための形態について添付の図面に従って説明する。なお、各図中、同一または相当する部分には同一の符号が付される。当該部分の重複説明は適宜に簡略化ないし省略される。また、以下において、「左」は、図面上における左を示す。「右」は、図面上における右を示す。
【００１１】
実施の形態１．
図１は実施の形態１における乗客コンベアの照明装置が適用される乗客コンベアの概略図である。
【００１２】
図１の乗客コンベアは、エスカレーターである。例えば、乗客コンベアは、互いに隣接する隣接階の下方階から上方階にまたがる。
【００１３】
下部乗降口１は、乗客コンベアの下部に設けられる。下部乗降口１は、隣接階の下方階に設けられる。上部乗降口２は、乗客コンベアの上部に設けられる。上部乗降口２は、隣接階の上方階に設けられる。
【００１４】
図示されない複数のステップは、下部乗降口１と上部乗降口２との間に設けられる。複数のステップは、無端状に設けられる。
【００１５】
一対の欄干３の一方は、複数のステップの一側の外側に設けられる。一対の欄干３の他方は、複数のステップの他側の外側に設けられる。一対の欄干３の各々は、乗客コンベアの長手方向に沿う。例えば、一対の欄干３の各々は、上下方向および乗客コンベアの長手方向に延びる板状のパネルからなる。
【００１６】
一対の欄干３の各々は、複数の直線部３ａと一対の曲線部３ｂを有する。
【００１７】
第１の直線部３ａは、下部乗降口１の側において水平部を構成する。第２の直線部３ａは、上部乗降口２の側において水平部を構成する。第３の直線部３ａは、下部乗降口１と上部乗降口２との間において傾斜部を構成する。
【００１８】
第１の曲線部３ｂは、下部乗降口１の側において第１の直線部３ａと第３の直線部３ａとを接続する。第２の曲線部３ｂは、上部乗降口２の側において第２の直線部３ａと第３の直線部３ａとを接続する。
【００１９】
一対の手摺４の各々は、一対の欄干３の各々に設けられる。一対の手摺４の各々は、無端状に設けられる。
【００２０】
乗客コンベアにおいて、照明装置は、欄干３の上部に設けられる。照明装置は、第１直線部筐体５ａと第２直線部筐体５ｂと複数の第３直線部筐体５ｃと一対の第１曲線部筐体６と一対の第２曲線部筐体７とを備える。
【００２１】
第１直線部筐体５ａは、下部乗降口１の側において第１の曲線部３ｂに連続しない第１の直線部３ａに設けられる。第１直線部筐体５ａは、第１の直線部３ａに対して垂直下方に光を照射する。
【００２２】
第２直線部筐体５ｂは、上部乗降口２の側において第２の曲線部３ｂに連続しない第２の直線部３ａに設けられる。第２直線部筐体５ｂは、第２の直線部３ａに対して垂直下方に光を照射する。
【００２３】
複数の第３直線部筐体５ｃは、下部乗降口１と上部乗降口２との間において第１の曲線部３ｂと第２の曲線部３ｂとに連続しない第３の直線部３ａに設けられる。複数の第３直線部筐体５ｃは、第３の直線部３ａに対して垂直下方に光を照射する。
【００２４】
一対の第１曲線部筐体６の一方は、第１の直線部３ａにおいて第１の曲線部３ｂに対面する位置に設けられる。一対の第１曲線部筐体６の一方は、右側から第１の曲線部３ｂの方向に光を照射する。一対の第１曲線部筐体６の一方は、第１の直線部３ａに対して垂直下方に光を照射する。
【００２５】
一対の第１曲線部筐体６の他方は、第３の直線部３ａにおいて第２の曲線部３ｂに対面する位置に設けられる。一対の第１曲線部筐体６の他方は、右側から第２の曲線部３ｂの方向に光を照射する。一対の第１曲線部筐体６の他方は、第３の直線部３ａに対して垂直下方に光を照射する。
【００２６】
一対の第２曲線部筐体７の一方は、第３の直線部３ａにおいて第１の曲線部３ｂに対面する位置に設けられる。一対の第２曲線部筐体７の一方は、左側から第１の曲線部３ｂの方向に光を照射する。一対の第２曲線部筐体７の一方は、第３の直線部３ａに対して垂直下方に光を照射する。
【００２７】
一対の第２曲線部筐体７の他方は、第２の直線部３ａにおいて第２の曲線部３ｂに対面する位置に設けられる。一対の第２曲線部筐体７の他方は、左側から第２の曲線部３ｂの方向に光を照射する。一対の第２曲線部筐体７の他方は、第２の直線部３ａに対して垂直下方に光を照射する。
【００２８】
次に、図２を用いて、第１直線部筐体５ａを説明する。
図２は実施の形態１における乗客コンベアの照明装置が備える第１直線部筐体の詳細図である。
【００２９】
第１直線部筐体５ａは、直方体をなす。第１直線部筐体５ａは、複数の光源８ａを備える。例えば、複数の光源８ａの各々は、一方向に光を照射するＬＥＤ素子である。
【００３０】
複数の光源８ａは、複数の第１下方照射用光源として、第１直線部筐体５ａの底面に設けられる。複数の光源８ａは、第１直線部筐体５ａの長手方向に沿って並んで設けられる。複数の光源８ａの各々は、第１直線部筐体５ａの垂直下方に光を照射する。
【００３１】
図示されないが、第２直線部筐体５ｂ、複数の第３直線部筐体５ｃの各々も、第１直線部筐体５ａと同様に形成される。
【００３２】
次に、図３を用いて、第１曲線部筐体６を説明する。
図３は実施の形態１における乗客コンベアの照明装置が備える第１曲線部筐体の詳細図である。
【００３３】
第１曲線部筐体６は、直方体をなす。第１曲線部筐体６は、複数の光源８ｂと光源８ｃとを備える。例えば、複数の光源８ｂの各々および光源８ｃは、一方向に光を照射するＬＥＤ素子である。
【００３４】
複数の光源８ｂは、複数の第２下方照射用光源として、第１曲線部筐体６の底面に設けられる。複数の光源８ｂは、第１曲線部筐体６の長手方向に沿って並んで設けられる。複数の光源８ｂの各々は、第１曲線部筐体６の垂直下方に光を照射する。光源８ｃは、側方照射用光源として、第１曲線部筐体６の右側面に設けられる。光源８ｃは、第１曲線部筐体６の右方向に光を照射する。
【００３５】
次に、図４を用いて、第２曲線部筐体７を説明する。
図４は実施の形態１における乗客コンベアの照明装置が備える第２曲線部筐体の詳細図である。
【００３６】
第２曲線部筐体７は、直方体をなす。第２曲線部筐体７は、複数の光源８ｄと光源８ｅとを備える。例えば、複数の光源８ｄおよび光源８ｅは、一方向に光を照射するＬＥＤ素子である。
【００３７】
複数の光源８ｄは、複数の第２下方照射用光源として、第２曲線部筐体７の底面に設けられる。複数の光源８ｄは、第２曲線部筐体７の長手方向に沿って並んで底面に設けられる。複数の光源８ｄの各々は、第２曲線部筐体７の垂直下方に光を照射する。光源８ｅは、側方照射用光源として、第２曲線部筐体７の右側面に設けられる。光源８ｅは、第１曲線部筐体６の左方向に光を照射する。
【００３８】
以上で説明した実施の形態１によれば、第１曲線部筐体６と第２曲線部筐体７とは、欄干３の曲線部３ｂの方向に光を照射する。このため、多数の光源を用いることなく乗客コンベアの欄干３を均等に照明することができる。
【００３９】
なお、実施の形態１によれば、欄干３の曲線部３ｂには、照明器具が不要となる。このため、欄干３の曲線部３ｂにおいて、乗客コンベアの受注階高の変化、乗客コンベアの各部品の製品誤差・据付誤差等により生じる寸法変化を吸収することができる。その結果、乗客コンベアの設計の自由度を向上させることができる。また、誤差吸収用のスペースの暗部が生じることを抑制できる。
【００４０】
また、第１直線部筐体５ａと第２直線部筐体５ｂと複数の第３直線部筐体５ｃとのうちのいずれかの筐体の底面において、１つの光源８ａのみを設けてもよい。この際、当該筐体に対して、隣接する筐体の設置間隔を狭めれば、少ない光源８ａで、欄干３を均等に照明することができる。このため、第１直線部筐体５の製造コストを抑えることができる。
【００４１】
また、第１曲線部筐体６の側面に光源８ｂを設けなくてもよい。この際、当該第１曲線部筐体６に対し、隣接する筐体の設置間隔を狭めれば、光源８ｂを要することなく、欄干３を均等に照明することができる。このため、第１曲線部筐体６の製造コストを抑えることができる。
【００４２】
また、第２曲線部筐体７の底面に光源８ｄを設けなくてもよい。この際、当該第２曲線部筐体７に対し、隣接する筐体の設置間隔を狭めれば、光源８ｄを要することなく、欄干３を均等に照明することができる。このため、第２曲線部筐体７の製造コストを抑えることができる。
【００４３】
また、第１曲線部筐体６の右側面に複数の光源８ｃを設けてもよい。この場合、第１曲線部筐体６の右方向をより明るく照明することができる。
【００４４】
また、第２曲線部筐体７の左側面に複数の光源８ｅを設けてもよい。この場合、第２曲線部筐体７の左方向をより明るく照明することができる。
【００４５】
また、第１曲線部筐体６は、欄干３の曲線部３ｂの一側に連続する直線部３ａに設けられる。第２曲線部筐体７は、欄干３の曲線部３ｂの他側に連続する直線部３ａに設けられる。このため、第１曲線部筐体６および第２曲線部筐体７により欄干３の曲線部３ｂを左右両方向から照明することができる。その結果、欄干３を均等に照明することができる。
【００４６】
また、第１曲線部筐体６の設置場所に応じて、光源８ｂおよび光源８ｃの輝度を変えてもよい。例えば、光源８ｃの輝度を光源８ｂの輝度より高くしてもよい。この場合、照明の明暗のムラを調整することができる。その結果、欄干３を均等に照明することができる。
【００４７】
また、第２曲線部筐体７の設置場所に応じて、光源８ｄおよび光源８ｅの輝度を変えてもよい。例えば、光源８ｅの輝度を光源８ｄの輝度より高くしてもよい。この場合、照明の明暗のムラを調整することができる。その結果、欄干３を均等に照明することができる。
【００４８】
実施の形態２．
図５は実施の形態２における乗客コンベアの照明装置が備える第１曲線部筐体の詳細図である。なお、実施の形態１の部分と同一または相当部分には同一符号が付される。当該部分の説明は省略される。
【００４９】
実施の形態２の乗客コンベアにおいて、第１曲線部筐体６は、拡散レンズ９を備える。拡散レンズ９は、第１曲線部筐体６の右側面に設けられる。拡散レンズ９は、光源８ｃに隣接して設けられる。拡散レンズ９は、光源８ｃから第１曲線部筐体６の右方向に照射された光を拡散する。
【００５０】
以上で説明した実施の形態２によれば、拡散レンズ９は、光源８ｃから照射された光を拡散する。このため、照明の明暗のムラを調整することができる。その結果、欄干３を均等に照明することができる。
【００５１】
なお、第２曲線部筐体７に対し、第１曲線部筐体６と同様に拡散レンズ９を設けてもよい。この際、拡散レンズ９は、第２曲線部筐体７の左側面において光源８ｅに隣接して設けられればよい。この場合、拡散レンズ８は、光源８ｅから照射された光を拡散する。このため、照明の明暗のムラを調整することができる。その結果、欄干３を均等に照明することができる。
【００５２】
実施の形態３．
図６は実施の形態３における乗客コンベアの照明装置が備える第１曲線部筐体の詳細図である。なお、実施の形態１の部分と同一または相当部分には同一符号が付される。当該部分の説明は省略される。
【００５３】
実施の形態３の乗客コンベアにおいて、第１曲線部筐体６は、透過部１０を備える。透過部１０は、光源８ｃを覆う。透過部１０は、第１曲線部筐体６の他の部分に比べて光が透過しやすい材料で形成される。透過部１０は、光源８ｃから第１曲線部筐体６の右方向に照射された光を透過させる。透過部１０を通過した光は、第１曲線部筐体６の透過部１０以外の部分を通過した光に比べて明るい。
【００５４】
以上で説明した実施の形態３によれば、透過部１０は、光源８ｃから照射された光をより多く透過させる。このため、照明の明暗のムラを調整することができる。その結果、欄干３を均等に照明することができる。
【００５５】
なお、第２曲線部筐体７に対し、第１曲線部筐体６と同様に透過部１０を設けてもよい。この際、透過部１０は、第２曲線部筐体７の左側面において光源８ｅを覆えばよい。この場合、透過部１０は、光源８ｅから照射された光をより多く透過させる。このため、照明の明暗のムラを調整することができる。その結果、欄干３を均等に照明することができる。
【００５６】
実施の形態４．
図７は実施の形態４における乗客コンベアの照明装置が適用される乗客コンベアの概略図である。図８は図７のＡ−Ａ線における断面図である。図９は、図７のＢ−Ｂ線における断面図である。なお、実施の形態１の部分と同一または相当部分には同一符号が付される。当該部分の説明は省略される。
【００５７】
実施の形態４の乗客コンベアにおいて、照明装置は、実施の形態１の構成に加えて一対の照明取付部１３と一対の照明カバー１４と複数の反射部１１を備える。
【００５８】
一対の照明取付部１３の各々は、一対の手摺４の各々の長手方向に沿って設けられる。一対の照明取付部１３の各々は、一対の手摺４の各々の下方において一対の欄干３の上端における乗客コンベアの幅方向の中央側に隣接して設けられる。
【００５９】
一対の照明カバー１４の各々は、一対の手摺４の各々の長手方向に沿って設けられる。一対の照明カバー１４の各々は、一対の照明取付部１３の各々の下部に取り付けられる。
【００６０】
一対の照明取付部１３の一方と一対の照明カバー１４の一方とは、内部に空間を形成する。一対の照明取付部１３の他方と一対の照明カバー１４の他方とは、内部に空間を形成する。
【００６１】
乗客コンベアの一側において、複数の第１直線部筐体５ａと複数の第２直線部筐体５ｂと複数の第３直線部筐体５ｃと一対の第１曲線部筐体６と一対の第２曲線部筐体７とは、一対の照明取付部１３の一方と一対の照明カバー１４の一方とが形成する空間の内部に設けられる。
【００６２】
乗客コンベアの他側において、複数の第１直線部筐体５ａと複数の第２直線部筐体５ｂと複数の第３直線部筐体５ｃと一対の第１曲線部筐体６と一対の第２曲線部筐体７とは、一対の照明取付部１３の他方と一対の照明カバー１４の他方とが形成する空間の内部に設けられる。
【００６３】
乗客コンベアの一側および他側において、下側の反射部１１は、下部乗降口１の側において欄干３の曲線部３ｂの上部に設けられる。下側の反射部１１は、下部乗降口１の側において第１曲線部筐体６から右方向に照射された光と第２曲線部筐体７から左方向に照射された光とを反射する。
【００６４】
例えば、下側の反射部１１は、反射材で形成される。例えば、欄干３の曲線部３ｂにおける照明取付部１３および照明カバー１４が下側の反射部１１として形成される。例えば、下側の反射部１１は、欄干３の曲線部３ｂにおける照明取付部１３および照明カバー１４の内側に設けられる。例えば、欄干３の曲線部３ｂにおける照明取付部１３および照明カバー１４の内側の表面には、下側の反射部１１として反射材が塗布される。例えば、欄干３の曲線部３ｂにおける照明取付部１３および照明カバー１４の内側の表面には、下側の反射部１１として反射材が貼り付けられる。
【００６５】
乗客コンベアの一側および他側において、上側の反射部１１は、上部乗降口２の側において欄干３の曲線部３ｂの上部に設けられる。上側の反射部１１は、上部乗降口２の側において第１曲線部筐体６から右方向に照射された光と第２曲線部筐体７から左方向に照射された光とを反射する。
【００６６】
例えば、上側の反射部１１は、反射材で形成される。例えば、欄干３の曲線部３ｂにおける照明取付部１３および照明カバー１４が上側の反射部１１として形成される。例えば、上側の反射部１１は、欄干３の曲線部３ｂにおける照明取付部１３および照明カバー１４の内側に設けられる。例えば、欄干３の曲線部３ｂにおける照明取付部１３および照明カバー１４の内側の表面には、上側の反射部１１として反射材が塗布される。例えば、欄干３の曲線部３ｂにおける照明取付部１３および照明カバー１４の内側の表面には、上側の反射部１１として反射材が貼り付けられる。
【００６７】
以上で説明した実施の形態４によれば、反射部１１は、第１曲線部筐体６および第２曲線部筐体７から照射された光を反射する。このため、照明の明暗のムラを調整することができる。その結果、欄干３を均等に照明することができる。
【００６８】
実施の形態５．
図１０は実施の形態５における乗客コンベア照明装置が適用される乗客コンベアの詳細図である。図１１は図１０のＣ−Ｃ線における断面図である。なお、実施の形態４の部分と同一または相当部分には同一符号が付される。当該部分の説明は省略される。
【００６９】
実施の形態５の乗客コンベアにおいて、照明装置は、実施の形態４の構成の複数の反射部１１の代わりに複数の蓄光部１２を備える。
【００７０】
乗客コンベアの一側および他側において、下側の蓄光部１２は、下部乗降口１の側において欄干３の曲線部３ｂの上部に設けられる。下側の蓄光部１２は、下部乗降口１の側において第１曲線部筐体６から右方向に照射された光と第２曲線部筐体７から左方向に照射された光を吸収して発光する。
【００７１】
例えば、下側の蓄光部１２は、蓄光材で形成される。例えば、欄干３の曲線部３ｂにおける照明取付部１３および照明カバー１４が下側の蓄光部１２として形成される。例えば、下側の蓄光部１２は、欄干３の曲線部３ｂにおける照明取付部１３および照明カバー１４の内側に設けられる。例えば、欄干３の曲線部３ｂにおける照明取付部１３および照明カバー１４の内側の表面には、下側の蓄光部１２として反射材が塗布される。例えば、欄干３の曲線部３ｂにおける照明取付部１３および照明カバー１４の内側の表面には、下側の蓄光部１２として蓄光材が貼り付けられる。
【００７２】
乗客コンベアの一側および他側において、上側の蓄光部１２は、上部乗降口２の側において欄干３の曲線部３ｂの上部に設けられる。上側の蓄光部１２は、上部乗降口２の側において第１曲線部筐体６から右方向に照射された光と第２曲線部筐体７から左方向に照射された光を吸収して発光する。
【００７３】
例えば、上側の蓄光部１２は、蓄光材で形成される。例えば、欄干３の曲線部３ｂにおける照明取付部１３および照明カバー１４が上側の蓄光部１２として形成される。例えば、上側の蓄光部１２は、欄干３の曲線部３ｂにおける照明取付部１３および照明カバー１４の内側に設けられる。例えば、欄干３の曲線部３ｂにおける照明取付部１３および照明カバー１４の内側の表面には、上側の蓄光部１２として反射材が塗布される。例えば、欄干３の曲線部３ｂにおける照明取付部１３および照明カバー１４の内側の表面には、上側の蓄光部１２として蓄光材が貼り付けられる。
【００７４】
以上で説明した実施の形態５によれば、蓄光部１２は、第１曲線部筐体６および第２曲線部筐体７から照射された光を吸収して発光する。このため、照明の明暗のムラを調整することができる。その結果、欄干３を均等に照明することができる。
【産業上の利用可能性】
【００７５】
以上のように、この発明に係る乗客コンベアの照明装置は、乗客コンベアに利用できる。
【符号の説明】
【００７６】
１  下部乗降口
２  上部乗降口
３  欄干
３ａ  直線部
３ｂ  曲線部
４  手摺
５ａ  第１直線部筐体
５ｂ  第２直線部筐体
５ｃ  第３直線部筐体
６  第１曲線部筐体
７  第２曲線部筐体
８ａ  光源
８ｂ  光源
８ｃ  光源
８ｄ  光源
８ｅ  光源
９  拡散レンズ
１０  透過部
１１  反射部
１２  蓄光部
１３  照明取付部
１４  照明カバー
【要約】
多数の光源を用いることなく乗客コンベアの欄干を均等に照明することができる乗客コンベアの照明装置を提供する。乗客コンベアの照明装置は、乗客コンベアの欄干の直線部に設けられ、前記欄干の直線部に対して下方向に光を照射する第１下方照射用光源を底面に有する直線部筐体と、前記欄干の直線部において前記欄干の曲線部に連続する位置に設けられ、前記欄干の曲線部の方向に光を照射する側方照射用光源を側面に有する曲線部筐体と、を備えた。【図１】
0006919772.tif 000002
【図２】
0006919772.tif 000003
【図３】
0006919772.tif 000004
【図４】
0006919772.tif 000005
【図５】
0006919772.tif 000006
【図６】
0006919772.tif 000007
【図７】
0006919772.tif 000008
【図８】
0006919772.tif 000009
【図９】
0006919772.tif 000010
【図１０】
0006919772.tif 000011
【図１１】
0006919772.tif 000012